(57)【要約】【課題】セキュリティを保ちつつ、顧客側の作業負荷の低減を図る。【解決手段】上面から開梱包される箱体Ｂを設置するための箱体設置部４２を有するテーブル４１と、箱体設置部４２の上方に配され、箱体設置部４２を動画及び静止画撮影するデジタルカメラ４３と、箱体設置部４２の上方に配され、箱体設置部４２を静止画撮影するフィルムカメラ４４と、を備え、デジタルカメラ４３は、箱体Ｂが箱体設置部４２に設置されてから開梱包されるまでの間に撮影を開始し、箱体Ｂが再梱包されてから箱体設置部４２から撤去されるまでの間に撮影を終了し、フィルムカメラ４４は、デジタルカメラ４３が動画撮影している期間内に１乃至複数回撮影を行う。【選択図】図２
2012012143.tif 000002
【特許請求の範囲】
【請求項１】
上面から開梱包される箱体を設置するための箱体設置部を有するテーブルと、
前記箱体設置部の上方に配され、当該箱体設置部を動画及び静止画撮影するデジタルカメラと、
前記箱体設置部の上方に配され、当該箱体設置部を静止画撮影するフィルムカメラと、を備え、
前記デジタルカメラは、前記箱体が前記箱体設置部に設置されてから開梱包されるまでの間に撮影を開始し、前記箱体が再梱包されてから前記箱体設置部から撤去されるまでの間に撮影を終了し、
前記フィルムカメラは、前記デジタルカメラが動画撮影している期間内に、１乃至複数回撮影を行うことを特徴とする箱開閉用セキュリティ作業台。
【請求項２】
前記デジタルカメラ及び前記フィルムカメラの撮影開始タイミングを検知する検知手段と、
前記検知手段による撮影開始タイミングの検知に基づいて、前記デジタルカメラ及び前記フィルムカメラによる撮影を開始させる開始制御手段と、
を備えることを特徴とする請求項１記載の箱開閉用セキュリティ作業台。
【請求項３】
前記箱体は、ＩＣ（Integrated Circuits）タグ付き施錠機構により封印され、
前記検知手段は、前記施錠機構の解除手段を備え、
前記開始制御手段は、前記解除手段による前記施錠機構の解除タイミングを前記撮影開始タイミングとして、前記デジタルカメラ及び前記フィルムカメラによる撮影を開始させることを特徴とする請求項２に記載の箱開閉用セキュリティ作業台。
【請求項４】
請求項１〜３の何れか一項に記載の箱開閉用セキュリティ作業台と、
権限を有する者以外の立ち入りが制限され、前記箱開閉用セキュリティ作業台が設置された作業室と、
前記作業室内に配置され、入室者の入室時から退出時まで当該作業室内を動画及び静止画撮影する室内監視カメラと、
前記作業室内に配置され、前記箱体が開梱包されて所定の書類が取得された場合に当該所定の書類のデータを顧客に対して送信する書類データ送信手段と、
前記室内監視カメラ及び前記デジタルカメラが撮影した静止画像の画像データに対して、外部認証機関にタイムスタンプの発行を依頼し、前記外部認証機関から前記タイムスタンプを取得するタイムスタンプ発行依頼手段と、
を備えることを特徴とする箱開閉時のセキュリティシステム。
【請求項５】
請求項４に記載の箱開閉時のセキュリティシステムを用いた箱開閉方法であって、
箱体を持った入室者が前記作業室に入室すると、前記室内監視カメラによる撮影を開始する室内撮影開始工程と、
前記箱体が前記テーブルの前記箱体設置部に設置されてから開梱包されるまでに、前記デジタルカメラ及び前記フィルムカメラによる撮影を開始する作業撮影開始工程と、
前記箱体の中から取得された前記所定の書類を前記書類データ送信手段により顧客に送信する書類データ送信工程と、
前記箱体の中に前記所定の書類が収納され、当該箱体が再梱包されてから前記箱体設置部から撤去されるまでに、前記デジタルカメラ及び前記フィルムカメラによる撮影を停止する作業撮影停止工程と、
前記箱体を持った入室者が前記作業室から退室すると、前記室内監視カメラによる撮影を停止する室内撮影停止工程と、
前記室内監視カメラ及び前記デジタルカメラが撮影した静止画像の画像データに対して、前記タイムスタンプ発行依頼手段による依頼に基づいて前記外部認証機関から発行された前記タイムスタンプを取得するタイムスタンプ取得工程と、
前記タイムスタンプ取得工程により前記タイムスタンプを取得したタイムスタンプ付き画像データを、顧客に対して送信するタイムスタンプ付きデータ送信工程と、
を備えることを特徴とする箱開閉方法。
【発明の詳細な説明】
【技術分野】
【０００１】
本発明は、箱開閉用セキュリティ作業台、箱開閉時のセキュリティシステム、及びこのセキュリティシステムを用いた箱開閉方法に関する。
【背景技術】
【０００２】
従来より、顧客に対して倉庫などの物品の保管スペースのみを提供する物品の保管システムが知られている。
顧客が、例えば機密書類などの物品をダンボール箱に収納して封印し、倉庫の管理会社に対して預け入れると、管理会社は、預かったダンボール箱を開梱包することなく、箱単位で倉庫内に保管・管理を行う。このとき、一般には、倉庫入り口に認証鍵などが備えられ、人の入退室管理が行われるとともに、倉庫内をデジタルカメラにより監視・記録するなどして、セキュリティ確保が為されている（例えば、特許文献１参照）。
そして、顧客から問い合わせがあった場合には、管理会社は箱を開梱包することなく、箱単位で顧客に返却を行い、顧客は自ら箱を開梱包して所望の書類を捜索する。
このシステムは、管理会社側でダンボール箱の開梱包がなされることがないため、書類の紛失及び情報漏えいのリスクが少ないというメリットを有する。
【先行技術文献】
【特許文献】
【０００３】
【特許文献１】特開２００６−１７６２３４号公報
【発明の概要】
【発明が解決しようとする課題】
【０００４】
ところが、上記のようなシステムに対しては、顧客側から、問い合わせから書類を確認するまでに掛かる時間を短縮させたい、書類の確認後に再度箱を送り返すなど煩雑な処理を簡略化したい、また、箱の搬送に伴うリスクを軽減させたいなどの要望がある。
この要望に対して、例えば、管理会社側で箱を開梱包して所望の書類を捜索し、顧客にファクシミリなどで送信するなどの方法が考えられる。
しかしながら、管理会社側で箱を開梱包して書類の捜索をすると、どうしても紛失等のリスクが高くなってしまうという問題がある。この点、たとえ倉庫内をデジタルカメラにより撮像したデジタル画像の記録があったとしても、当該デジタル画像は改ざんされる恐れがあり、裁判において当該デジタル画像を証拠として提出しても裁判所で証拠として採用されにくいという実情があり、現実的な対応策として得策とはいえない。
このように、上記したような顧客の要望に応え得る物品の保管システムは、未だ提案されていない。
【０００５】
本発明の課題は、セキュリティを保ちつつ、顧客側の作業負荷の低減を図ることのできる箱開閉用セキュリティ作業台、箱開閉時のセキュリティシステム、及びこのセキュリティシステムを用いた箱開閉方法を提供することである。
【課題を解決するための手段】
【０００６】
前記課題を解決するために、請求項１に記載の発明は、箱開閉用セキュリティ作業台において、
上面から開梱包される箱体を設置するための箱体設置部を有するテーブルと、
前記箱体設置部の上方に配され、当該箱体設置部を動画及び静止画撮影するデジタルカメラと、
前記箱体設置部の上方に配され、当該箱体設置部を静止画撮影するフィルムカメラと、を備え、
前記デジタルカメラは、前記箱体が前記箱体設置部に設置されてから開梱包されるまでの間に撮影を開始し、前記箱体が再梱包されてから前記箱体設置部から撤去されるまでの間に撮影を終了し、
前記フィルムカメラは、前記デジタルカメラが動画撮影している期間内に、１乃至複数回撮影を行うことを特徴とする。
【０００７】
また、請求項２に記載の発明は、請求項１記載の箱開閉用セキュリティ作業台において、
前記デジタルカメラ及び前記フィルムカメラの撮影開始タイミングを検知する検知手段と、
前記検知手段による撮影開始タイミングの検知に基づいて、前記デジタルカメラ及び前記フィルムカメラによる撮影を開始させる開始制御手段と、
を備えることを特徴とする。
【０００８】
また、請求項３に記載の発明は、請求項２に記載の箱開閉用セキュリティ作業台において、
前記箱体は、ＩＣ（Integrated Circuits）タグ付き施錠機構により封印され、
前記検知手段は、前記施錠機構の解除手段を備え、
前記開始制御手段は、前記解除手段による前記施錠機構の解除タイミングを前記撮影開始タイミングとして、前記デジタルカメラ及び前記フィルムカメラによる撮影を開始させることを特徴とする。
【０００９】
また、請求項４に記載の発明は、箱開閉時のセキュリティシステムにおいて、
請求項１〜３の何れか一項に記載の箱開閉用セキュリティ作業台と、
権限を有する者以外の立ち入りが制限され、前記箱開閉用セキュリティ作業台が設置された作業室と、
前記作業室内に配置され、入室者の入室時から退出時まで当該作業室内を動画及び静止画撮影する室内監視カメラと、
前記作業室内に配置され、前記箱体が開梱包されて所定の書類が取得された場合に当該所定の書類のデータを顧客に対して送信する書類データ送信手段と、
前記室内監視カメラ及び前記デジタルカメラが撮影した静止画像の画像データに対して、外部認証機関にタイムスタンプの発行を依頼し、前記外部認証機関から前記タイムスタンプを取得するタイムスタンプ発行依頼手段と、
を備えることを特徴とする。
【００１０】
また、請求項５に記載の発明は、
請求項４に記載の箱開閉時のセキュリティシステムを用いた箱開閉方法であって、
箱体を持った入室者が前記作業室に入室すると、前記室内監視カメラによる撮影を開始する室内撮影開始工程と、
前記箱体が前記テーブルの前記箱体設置部に設置されてから開梱包されるまでに、前記デジタルカメラ及び前記フィルムカメラによる撮影を開始する作業撮影開始工程と、
前記箱体の中から取得された前記所定の書類を前記書類データ送信手段により顧客に送信する書類データ送信工程と、
前記箱体の中に前記所定の書類が収納され、当該箱体が再梱包されてから前記箱体設置部から撤去されるまでに、前記デジタルカメラ及び前記フィルムカメラによる撮影を停止する作業撮影停止工程と、
前記箱体を持った入室者が前記作業室から退室すると、前記室内監視カメラによる撮影を停止する室内撮影停止工程と、
前記室内監視カメラ及び前記デジタルカメラが撮影した静止画像の画像データに対して、前記タイムスタンプ発行依頼手段による依頼に基づいて前記外部認証機関から発行された前記タイムスタンプを取得するタイムスタンプ取得工程と、
前記タイムスタンプ取得工程により前記タイムスタンプを取得したタイムスタンプ付き画像データを、顧客に対して送信するタイムスタンプ付きデータ送信工程と、
を備えることを特徴とする。
【発明の効果】
【００１１】
本発明によれば、梱包開閉の全作業がデジタルカメラ及びフィルムカメラにより同時に撮影されるため、箱体を開梱包して書類の捜索をする場合の全作業を、デジタルカメラと、画像の改ざんが不可能なフィルムカメラと、により記録に残すことができる。これにより、裁判においてデジタルカメラの画像とフィルムカメラの画像を両方証拠として提出することで、デジタルカメラの画像の証拠能力を高めることができ、裁判所で証拠として採用されやすくなる。
このため、顧客から問い合わせがあった際に、セキュリティを保ちつつ、箱体の開閉作業を行うことができる。よって、顧客は、問い合わせただけで、煩雑な処理や搬送リスクが発生することなく、短時間で所望の書類のみを確認することができるようになる。
従って、セキュリティを保ちつつ、顧客側の作業負荷の低減を図ることができる。
【図面の簡単な説明】
【００１２】
【図１】第１実施形態のセキュリティシステムの全体構成を示す概要図である。
【図２】図１のセキュリティシステムにおける作業台の構成を示す模式図である。
【図３】図１のセキュリティシステムの制御構成図である。
【図４】図１のセキュリティシステムの制御装置と外部認証機関との接続状態を説明するための図である。
【図５】箱体の開閉作業における作業者の動きを説明するためのフローチャートである。
【図６】箱体の開閉作業におけるセキュリティシステムの処理を示すフローチャートである。
【図７】第２実施形態のセキュリティシステムにおける作業台の構成を示す模式図である。
【図８】図７のセキュリティシステムの制御構成図である。
【発明を実施するための形態】
【００１３】
以下、図面を参照して、本発明の実施形態について詳細に説明する。
【００１４】
（第１実施形態）
本実施形態のセキュリティシステム（箱開閉時のセキュリティシステム）１００は、管理会社が顧客から預かりいれて倉庫などに保管しているダンボール箱などの箱体Ｂを、管理会社が顧客からの依頼に応じて開梱包して箱体Ｂ内に収容された物品を捜索作業する際などに使用されるシステムである。
箱体Ｂには、顧客側で発生した、当面使用しないが後に必要となる場合を考慮して保管される、各種の秘密情報などの記載された重要書類などが収納されており、箱体Ｂの外面には、顧客名、箱番号、書類名などが明記されている。
管理会社は、顧客から、書類を捜索する依頼状を受領すると、この依頼状に記載された箱番号や対象書類などの依頼情報に基づいて、倉庫内に保管された多数の箱体Ｂの中から該当する箱体Ｂをピックアップし、作業室１０（後述）に運びこんで箱体Ｂの開閉作業を行う。
【００１５】
具体的に、セキュリティシステム１００は、図１に示すように、作業室１０と、カードリーダ２０と、室内監視カメラ３０と、作業台（箱開閉用セキュリティ作業台）４０と、送信装置（書類データ送信手段）５０と、表示部６０と、操作部７０と、制御装置８０と、等を備えて構成されている。
【００１６】
作業室１０は、箱体Ｂの開閉作業（書類の捜索作業）を行う専用フロアであり、例えば、箱体Ｂを管理する倉庫内などに、外部とは区切られて設置される。
作業室１０は、一箇所のみ出入口として入室扉１１が設置されている以外は、物理的に外部とは遮断されており、入室権限を有する限られた者のみが、事前登録の基に書類の捜索等の目的にて入室することができる。
【００１７】
入室扉１１には、その外側及び内側にそれぞれカードリーダ２０が設置されている。
作業室１０内に入室する入室者（作業者）は、閉ざされた入室扉１１に設置されたカードリーダ２０に自身固有のＩＤカードを面接触させＩＤ情報を読み込ませる。そのＩＤ情報が既登録情報と一致すれば、入室扉１１は開き、入室が可能となる。
カードリーダ２０は、作業者のＩＤ情報を読み込むと、入室検知信号を制御装置８０に出力する。そして、カードリーダ２０からの当該入室検知信号に基づいて、制御装置８０は室内監視カメラ３０の撮影を開始する開始指示信号を出力する。
また、作業室１０からの退室時にも同様に、カードリーダ２０にＩＤ情報を読み込ませる手順が実行され、カードリーダ２０から退室検知信号が出力されると、制御装置８０は室内監視カメラ３０の撮影を停止する停止指示信号を出力する。
【００１８】
作業室１０内部の天井部には、室内監視カメラ３０が設置されている。
室内監視カメラ３０は、入室扉１１を含む作業室１０の室内全体を監視可能に取り付けられており、作業室１０に作業者が入室した場合には、その入室者が退室するまで、室内全体を動画撮影及び静止画撮影する。
具体的には、室内監視カメラ３０は、作業室１０に作業者が入室した場合に制御装置８０から出力される開始指示信号に応じて動画撮影を開始し、当該作業者が作業室１０から退室した場合に制御装置８０から出力される停止指示信号に応じて動画撮影を停止する。なお、動画撮影の停止は、作業者が作業室１０から退室して入室扉１１が閉められた数秒後（例えば、１５秒後など）となるように設定されている。
また、室内監視カメラ３０は、制御装置８０からの開始指示信号に応じて、例えば、作業者の入退室時などの所定のタイミングで静止画撮影を実行する。
なお、入退室時以外にも、動画撮影を実行している期間内に一定時間毎（例えば、２秒毎）に連続的に静止画撮影を実行することとしても良い。
室内監視カメラ３０により撮影された動画及び静止画は、制御装置８０の室内画像記憶部８３Ａ（後述）に保存される。
作業室１０は、このようなカードリーダ２０及び室内監視カメラ３０を備えることで、入退室管理が徹底され、室内滞在者を常に確実に把握することができるようになっている。
なお、室内監視カメラ３０の数に特に限定はなく、複数個設置することとしても良い。また、室内監視カメラ３０に、作業者を認識して追尾する機構を設けても良い。
【００１９】
作業台４０は、作業者が外部から運びこんだ箱体Ｂの開閉作業を行う為の専用台である。
作業室１０内で箱体Ｂの開閉作業を行う場合、全ての箱体Ｂはこの作業台４０上に設置されて上面から開閉されるが、このとき一連の開閉業が撮影されるようになっている。
【００２０】
具体的に、作業台４０は、テーブル４１と、デジタルカメラ４３と、フィルムカメラ４４と、を備えて構成されている。
【００２１】
テーブル４１は、図２に示すように、箱体Ｂを設置するための凹形状の箱体設置部４２を備えている。
箱体設置部４２の内部には箱センサ（検知手段）４２ａが設置されている。
箱センサ４２ａは、例えば、光センサなどにより構成され、箱体設置部４２に箱体Ｂが設置されるとこれを検知して、デジタルカメラ４３及びフィルムカメラ４４の撮影開始タイミングとして、制御装置８０に第１検知信号を出力する。すると、制御装置８０からは、デジタルカメラ４３及びフィルムカメラ４４の撮影を開始する開始指示信号が出力されて、デジタルカメラ４３及びフィルムカメラ４４の撮影が開始されるようになっている。
また、箱センサ４２ａは、箱体Ｂが箱体設置部４２から撤去されるとこれを検知して、デジタルカメラ４３及びフィルムカメラ４４の撮影停止タイミングとして第２検知信号を制御装置８０に出力する。すると、制御装置８０からは、デジタルカメラ４３及びフィルムカメラ４４の撮影を停止する停止指示信号が出力され、デジタルカメラ４３及びフィルムカメラ４４の撮影が停止されるようになっている。
即ち、本実施形態においては、箱体設置部４２に箱体Ｂが設置された時点から、撤去された時点まで、デジタルカメラ４３及びフィルムカメラ４４の撮影が行われる。
【００２２】
デジタルカメラ４３は、箱体設置部４２の上方において、当該箱体設置部４２の全体を撮影可能なように配置されており、箱体Ｂの開閉作業を動画及び静止画で撮影する。
具体的に、デジタルカメラ４３は、制御装置８０が出力した開始指示信号に基づいて、箱体Ｂが箱体設置部４２に設置された時点で動画撮影を開始し、箱体Ｂが箱体設置部４２から撤去された時点で動画撮影を停止する。
また、デジタルカメラ４３は、制御装置８０が出力した開始指示信号に基づいて、上記の動画撮影している期間内に、所定のタイミングで１乃至複数回、静止画撮影を行う。所定のタイミングとは、例えば、動画撮影の開始から２秒毎などのように、予め作業者により設定されたタイミングである。
デジタルカメラ４３により撮影された動画及び静止画は、制御装置８０の作業画像記憶部８３Ｂ（後述）に保存される。
【００２３】
フィルムカメラ４４は、箱体設置部４２の上方において、デジタルカメラ４３に並設されている。フィルムカメラ４４も、箱体設置部４２の全体を撮影可能なように配置されており、箱体Ｂの開梱包作業を静止画で撮影して撮影した画像を銀塩フィルムに記録する。
具体的に、フィルムカメラ４４は、制御装置８０が出力した開始指示信号に基づいて、デジタルカメラ４３が動画撮影している期間内に、所定のタイミングで１乃至複数回、静止画撮影を行う。
ここで、所定のタイミングとは、デジタルカメラ４３が静止画撮影するタイミングと同一である。
従って、デジタルカメラ４３及びフィルムカメラ４４により、同じ静止画が撮影されることとなり、有事の際には２種類の静止画を照合することができるようになっている。
【００２４】
送信装置５０は、例えば、ファクシミリなどの、紙媒体における文書や画像を電話回線によって外部に転送する機器である。
送信装置５０は、作業室１０内に配置されており、このため、作業者が箱体Ｂの内部から所定の書類を取得した場合に、その場で（作業室１０から退室することなく）当該所定の書類を顧客に対して送信することができるようになっている。
なお、顧客に所定の書類を送信した後、送信装置５０内の所定の書類に関わる情報は削除される。
また、送信装置５０には、電話などの通話機能を備えるものを用いることとし、所定の書類の送信完了後、顧客に対して受領確認を行うことが好ましい。
【００２５】
表示部６０は、例えば、液晶表示パネルであって、制御装置８０から入力される表示信号に従って、各種の条件設定画面などの表示処理を行う。
【００２６】
操作部７０は、例えば、キーボードなどの操作キー群であって、ユーザにより操作されると、その操作に伴う操作信号を制御装置８０に出力する。なお、操作部７０は、必要に応じてマウスやタッチパネルなどのポインティングデバイスや、リモートコントローラなど、その他の操作装置を備えるようにしてもよい。
操作部７０は、例えば、作業者が、室内監視カメラ３０や、デジタルカメラ４３及びフィルムカメラ４４による静止画の撮影スパンを設定する場合などに操作される。
【００２７】
制御装置８０は、例えば、図３に示すように、ＣＰＵ（Central Processing Unit）８１、ＲＡＭ（Random Access Memory）８２、記憶部８３、等を備えており、カードリーダ２０、室内監視カメラ３０、箱センサ４２ａ、デジタルカメラ４３、フィルムカメラ４４、表示部６０、及び操作部７０などと接続されている。
【００２８】
ＣＰＵ８１は、例えば、記憶部８３に記憶されている各種処理プログラムに従って、各種の制御処理を行う。
【００２９】
ＲＡＭ８２は、ＣＰＵ８１により演算処理されたデータを格納するワークメモリエリアを形成している。
【００３０】
記憶部８３は、例えば、ＣＰＵ８１によって実行可能なシステムプログラムや、そのシステムプログラムで実行可能な各種処理プログラム、これら各種処理プログラムを実行する際に使用されるデータ、ＣＰＵ８１によって演算処理された各種処理結果のデータなどを記憶する。なお、プログラムは、コンピュータが読み取り可能なプログラムコードの形で記憶部８３に記憶されている。
【００３１】
具体的に、記憶部８３には、例えば、室内画像記憶部８３Ａ、作業画像記憶部８３Ｂ、室内撮影開始制御プログラム８３１、作業撮影開始制御プログラム８３２、作業撮影停止制御プログラム８３３、室内撮影停止制御プログラム８３４、タイムスタンプ発行依頼プログラム８３５、及びデータ送信プログラム８３６、等が格納されている。
【００３２】
室内画像記憶部８３Ａは、例えば、室内監視カメラ３０により撮影された動画及び静止画を記録する。
【００３３】
作業画像記憶部８３Ｂは、例えば、デジタルカメラ４３により撮影された動画及び静止画を記録する。
【００３４】
室内撮影開始制御プログラム８３１は、例えば、箱体Ｂを持った作業者が作業室１０に入室すると、室内監視カメラ３０による撮影を開始する機能を、ＣＰＵ８１に実現させるプログラムである。
具体的に、入室扉１１の外側に設置されたカードリーダ２０から入室検知信号が出力されると、ＣＰＵ８１は、これに応じて室内監視カメラ３０に対して撮影を開始する開始指示信号を出力する。
室内監視カメラ３０は、この開始指示信号に応じて動画撮影を開始するとともに、動画撮影時の所定のタイミングにて、静止画を撮影する。
【００３５】
作業撮影開始制御プログラム８３２は、例えば、箱センサ４２ａによる撮影開始タイミングの検知に基づいて、デジタルカメラ４３及びフィルムカメラ４４による撮影を開始させる機能を、ＣＰＵ８１に実現させるプログラムである。
具体的に、箱センサ４２ａから第１検知信号が出力されると、ＣＰＵ８１は、撮影開始タイミングであると判断し、作業撮影開始制御プログラム８３２を実行して、デジタルカメラ４３及びフィルムカメラ４４に撮影を開始する開始指示信号を出力する。
デジタルカメラ４３は、この開始指示信号に応じて動画撮影を開始するとともに、動画撮影時の所定のタイミングにて、一乃至複数回静止画を撮影する。
また、フィルムカメラ４４は、この開始指示信号に応じてデジタルカメラ４３の動画撮影時の所定のタイミングにて、静止画を撮影する。
ＣＰＵ８１は、かかる作業撮影開始制御プログラム８３２を実行することにより、開始制御手段として機能している。
【００３６】
作業撮影停止制御プログラム８３３は、例えば、箱体Ｂが再梱包されてから箱体設置部４２から撤去されるまでに、デジタルカメラ４３及びフィルムカメラ４４による撮影を停止する機能を、ＣＰＵ８１に実現させるプログラムである。
具体的に、箱体設置部４２に備えられた箱センサ４２ａから第２検知信号が出力されると、ＣＰＵ８１は、撮影の停止タイミングであると判断し、作業撮影停止制御プログラム８３３を実行して、デジタルカメラ４３及びフィルムカメラ４４に撮影を停止する停止指示信号を出力する。
デジタルカメラ４３及びフィルムカメラ４４は、この停止指示信号に応じて動画撮影を停止する。
【００３７】
室内撮影停止制御プログラム８３４は、例えば、箱体Ｂを持った作業者が作業室１０から退室すると、室内監視カメラ３０による撮影を停止する機能を、ＣＰＵ８１に実現させるプログラムである。
具体的に、入室扉１１の内側に設置されたカードリーダ２０から退室検知信号が出力されると、ＣＰＵ８１は、これに応じて室内監視カメラ３０に撮影を停止する停止指示信号を出力する。なお、作業者が作業室１０から退室して入室扉１１が閉められた数秒後（例えば、１５秒後など）に撮影が停止されるように、停止指示信号は、退室検知信号を受信したのち所定時間経過後に出力されるようになっている。
室内監視カメラ３０は、この停止指示信号に応じて動画撮影を停止する。
【００３８】
タイムスタンプ発行依頼プログラム８３５は、室内監視カメラ３０及びデジタルカメラ４３が撮影した静止画像の画像データに対して、外部認証機関Ｔにタイムスタンプの発行を依頼し、外部認証機関Ｔからタイムスタンプを取得する機能を、ＣＰＵ８１に実現させるプログラムである。
具体的に、ＣＰＵ８１は、ユーザ操作に応じて、室内監視カメラ３０及びデジタルカメラ４３が撮影した静止画像の画像データを対象としてタイムスタンプの発行を外部認証機関Ｔに依頼する。
外部認証機関Ｔとは、図４に示すように、制御装置８０と通信インタフェースＮを介してネットワーク接続された一般的な認証機関であり、静止画像の画像データに対するタイムスタンプを発行する。このとき、ネットワーク接続は、ＳＳＬ（Secure Socket Layer）通信などのセキュリティがある通信プロトコルを用いて行われる。
このタイムスタンプにより、静止画像の画像データが、ある日時に存在したことを外部認証機関Ｔにより認証されたこととなる。
ＣＰＵ８１は、かかるタイムスタンプ発行依頼プログラム８３５を実行することにより、タイムスタンプ発行依頼手段として機能している。
【００３９】
データ送信プログラム８３６は、前記したタイムスタンプ発行依頼プログラム８３５の実行により、タイムスタンプを取得したタイムスタンプ付き画像データを、顧客に対して送信する機能を、ＣＰＵ８１に実現させるプログラムである。
具体的に、ＣＰＵ８１は、ユーザ操作に応じて、タイムスタンプ付き画像データを、例えば、図示しないメール機能などによって、顧客に対して送信する。
【００４０】
次に、本実施形態におけるセキュリティシステム１００を用いた箱開閉方法について説明する。
【００４１】
先ず、図５に、作業者の作業工程を示す。
作業者は、顧客からの依頼状を受領すると（ステップＳ１）、依頼状の記載内容に該当する箱体Ｂをピックアップする（ステップＳ２）。
次いで、作業者は、ピックアップした箱体Ｂを持って作業室１０に入室し（ステップＳ３）、テーブル４１の箱体設置部４２に箱体Ｂを設置すると（ステップＳ４）、当該箱体を開梱包する（ステップＳ５）。
次いで、作業者は、依頼状にて依頼のあった所定の書類を箱体Ｂの中から取得し（ステップＳ６）、当該所定の書類を送信装置５０により顧客に送信する（ステップＳ７：書類データ送信工程）。
次いで、作業者は、箱体Ｂの中に前記所定の書類を収納してこの箱体Ｂを再梱包し（ステップＳ８）、箱体設置部４２から箱体Ｂを撤去する（ステップＳ９）。
次いで、作業者は、箱体Ｂを持って作業室１０から退室し（ステップＳ１０）、箱体Ｂを元の場所に返却する（ステップＳ１１）。
なお、この後、作業者は、後述のステップＳ１１２、ステップＳ１１３の指示操作を実行する。
【００４２】
次に、図６に、セキュリティシステム１００の処理工程を示す。
先ず、ＣＰＵ８１は、カードリーダ２０からの入室検知信号が入力されたか否かを判断し（ステップＳ１０１）、入力されない場合（ステップＳ１０１：ＮＯ）、当該ステップＳ１０１の処理を繰り返す一方、入室検知信号が入力されたと判断した場合（ステップＳ１０１：ＹＥＳ）、ＣＰＵ８１は、室内監視カメラ３０による作業室１０内の撮影を開始する（ステップＳ１０２：室内撮影開始工程）。
次いで、ＣＰＵ８１は、箱センサ４２ａからの第１検知信号が入力されたか否かを判断し（ステップＳ１０３）、入力されない場合（ステップＳ１０３：ＮＯ）、当該ステップＳ１０３の処理を繰り返す。
一方、第１検知信号が入力されたと判断した場合（ステップＳ１０３：ＹＥＳ）、ＣＰＵ８１は、撮影開始タイミングであるとして、デジタルカメラ４３及びフィルムカメラ４４による撮影を開始する（ステップＳ１０４：作業撮影開始工程）。
次いで、ＣＰＵ８１は、デジタルカメラ４３による撮影開始時点からの所定のタイミング（予め設定された撮影タイミング）になったか否かを判断し（ステップＳ１０５）、所定のタイミングになっていない場合には（ステップＳ１０５：ＮＯ）、当該ステップＳ１０５の処理を繰り返す。
一方、所定のタイミングになったと判断した場合には（ステップＳ１０５：ＹＥＳ）、ＣＰＵ８１は、デジタルカメラ４３及びフィルムカメラ４４により静止画の撮影を行う（ステップＳ１０６）。
次いで、ＣＰＵ８１は、箱センサ４２ａからの第２検知信号が入力されたか否かを判断し（ステップＳ１０７）、入力されない場合（ステップＳ１０７：ＮＯ）、上記ステップＳ１０５に戻って以降の処理を繰り返す。
一方、第２検知信号が入力されたと判断した場合（ステップＳ１０７：ＹＥＳ）、ＣＰＵ８１は、撮影の停止タイミングであるとして、デジタルカメラ４３及びフィルムカメラ４４による撮影を停止する（ステップＳ１０８：作業撮影停止工程）。
次いで、ＣＰＵ８１は、カードリーダ２０からの退室検知信号が入力されたか否かを判断し（ステップＳ１０９）、入力されない場合（ステップＳ１０９：ＮＯ）、当該ステップＳ１０９の処理を繰り返す一方、退室検知信号が入力されたと判断した場合（ステップＳ１０９：ＹＥＳ）、ＣＰＵ８１は、更に入力された時点から所定時間経過したか否かを判断し（ステップＳ１１０）、所定時間経過していない場合には（ステップＳ１１０：ＮＯ）、当該ステップＳ１１０の処理を繰り返す。
一方、所定時間経過した場合には（ステップＳ１１０：ＹＥＳ）、ＣＰＵ８１は、室内監視カメラ３０による作業室１０内の撮影を停止する（ステップＳ１１１：室内撮影停止工程）。
次いで、ＣＰＵ８１は、作業者による指示操作に応じて、室内監視カメラ３０及びデジタルカメラ４３により撮影された静止画の画像データに対して、外部認証機関Ｔからタイムスタンプを取得する（ステップＳ１１２：タイムスタンプ取得工程）。
次いで、ＣＰＵ８１は、作業者による指示操作に応じて、タイムスタンプ付き画像データを顧客に対して送信する（ステップＳ１１３：タイムスタンプ付きデータ送信工程）。
【００４３】
以上のように、本実施形態によれば、箱体Ｂを開閉した際の全作業がデジタルカメラ４３及びフィルムカメラ４４により同時に撮影されるため、箱体Ｂを開いて書類の捜索をする場合の全作業を、デジタルカメラ４３と、画像記録の改ざんが不可能なフィルムカメラ４４と、により記録に残すことができる。このため、箱体Ｂの開閉作業を行う場合に、裁判においてデジタルカメラ４３の画像とフィルムカメラ４４の画像を両方証拠として提出することで、デジタルカメラ４３の画像の証拠能力を高めることができ、裁判所で証拠として採用されやすくなる。
また、箱体Ｂの開閉作業が作業室１０内でのみ行われ、作業室１０内の全作業は室内監視カメラ３０により記録されるため、書類の紛失等のリスクを極めて少なくすることができる。
また、デジタルカメラ４３及び室内監視カメラ３０が撮像した静止画像に対し、外部認証機関Ｔを介してタイムスタンプを付与するため、より信頼性の高い記録とすることができる。
このため、顧客から問い合わせがあった際に、セキュリティを保ちつつ、箱体Ｂの開閉作業を行うことができる。よって、顧客は、問い合わせただけで、煩雑な処理や搬送リスクが発生することなく、短時間で所望の書類のみを確認することができるようになる。
従って、セキュリティを保ちつつ、顧客側の作業負荷の低減を図ることができる。
【００４４】
また、本実施形態によれば、箱体Ｂが箱体設置部４２に設置されてからの所定のタイミングを検知する箱センサ４２ａと、箱センサ４２ａによる所定のタイミングの検知に基づいて、デジタルカメラ４３及びフィルムカメラ４４による撮影を開始させる作業撮影開始制御プログラム８３２と、を備えているため、適切なタイミングで箱体設置部４２（開梱包作業）の撮影を開始することができる。
【００４５】
（第２実施形態）
次の、本発明の第２実施形態について図７、８を参照して説明する。
なお、第２実施形態のセキュリティシステム２００は、作業台の構成が第１実施形態と異なるものであるため、この点を中心に説明する。
また、図７、８において、第１実施形態と同様の構成については、同一の符号を付している。
【００４６】
本実施形態においては、箱体Ｂは、ＩＣ（Integrated Circuits）タグ付き施錠機構８により封印されている。
施錠機構８のＩＣタグには、メモリ機能のあるＩＣチップやアンテナ等が搭載されており、施錠機構８は、ＩＣタグが所定の解除キーを捕捉した場合に開錠するようになっている。
管理会社は、顧客から、書類を捜索する依頼状を受領すると、この依頼状に記載された箱番号や対象書類などの依頼情報に基づいて、捜索対象書類の情報（解除キー等）を解除手段９０（後述）に登録する。
そして、倉庫内に保管された多数の箱体Ｂの中から該当する箱体Ｂをピックアップし、作業室１０に運びこんで開閉作業を行う。
【００４７】
本実施形態の作業台４０Ａには、図７に示すように、箱センサ４２ａの代わりに、施錠機構８の解除手段９０が備えられている。
解除手段９０は、箱体設置部４２の上方のＩＣタグ読取り装置９１と、テーブル４１上のＩＣタグ解除装置９２と、を備えている。
そして、箱体設置部４２に設置した箱体Ｂを開梱包する場合、ＩＣタグ読取り装置９１によってＩＣタグ内のデータを読取って、ＩＣタグ解除装置９２に出力する。ＩＣタグ解除装置９２は、入力されたデータが予め登録されているデータと一致する場合には、解除キーをＩＣタグ読み取り装置９１を介してＩＣタグに送信する。ＩＣタグが解除キーを捕捉すると、当該解除キーより施錠機構８の開錠が行われる。
また、箱体Ｂを再梱包する場合、ＩＣタグ解除装置９２により施錠機構８の再封印が行われる。
なお、箱体Ｂが開梱包された時間、再封印された時間等の履歴はＩＣタグに記憶されるようになっている。
ここで、解除手段９０は、検知手段として機能し、箱体Ｂの施錠機構８の解除タイミングをデジタルカメラ４３及びフィルムカメラ４４の撮影開始タイミングとして、制御装置８０に第１検知信号を出力するようになっている。すると、制御装置８０からは、デジタルカメラ４３及びフィルムカメラ４４の撮影を開始する開始指示信号が出力されて、デジタルカメラ４３及びフィルムカメラ４４の撮影が開始される。
また、解除手段９０は、箱体Ｂが再封印されたタイミングをデジタルカメラ４３及びフィルムカメラ４４の撮影停止タイミングとして、第２検知信号を制御装置８０に出力するようになっている。すると、制御装置８０からは、デジタルカメラ４３及びフィルムカメラ４４の撮影を停止する停止指示信号が出力され、デジタルカメラ４３及びフィルムカメラ４４の撮影が停止される。
即ち、本実施形態においては、箱体Ｂが開梱包された時点から、再梱包された時点まで、デジタルカメラ４３及びフィルムカメラ４４の撮影が行われる。
【００４８】
このため、本実施形態においては、解除手段９０から第１検知信号が出力されると、ＣＰＵ８１は、撮影開始タイミングであると判断し、作業撮影開始制御プログラム８３２を実行して、デジタルカメラ４３及びフィルムカメラ４４に撮影を開始する開始指示信号を出力する。
また、箱体Ｂが再封印され、解除手段９０により第２検知信号が出力されると、ＣＰＵ８１は、撮影の停止タイミングであると判断し、作業撮影停止制御プログラム８３３を実行し、デジタルカメラ４３及びフィルムカメラ４４による撮影を停止する。
【００４９】
以上のように、本実施形態によれば、上記第１実施形態と同様の効果が得られるのは勿論のこと、箱体ＢがＩＣタグ付き施錠機構８により封印されているため、より高いセキュリティを確保することが可能である。
【００５０】
なお、上記第１、２実施形態においては、書類データ送信手段として、ファクシミリのような送信装置５０を例示しているが、これ以外にも、書類データ送信手段を、例えば、スキャナ及び電子メールにより構成し、捜索した書類をスキャナ等で読み込んで、メールにて顧客に送信することとしても良い。
【００５１】
また、テーブル４１に重量センサを備え、箱体Ｂの開梱包された時点と再梱包された時点の重量を計測し、計測した２つの重量が異なるときには警告音を発生することとしても良い。
これにより、箱体Ｂから取り出した書類の戻し忘れやこれに伴う紛失リスクを低減することができる。
【符号の説明】
【００５２】
１００、２００  セキュリティシステム（箱開閉時のセキュリティシステム）
１０  作業室
２０  カードリーダ
３０  室内監視カメラ
４０、４０Ａ  作業台（箱開閉用セキュリティ作業台）
４１  テーブル
４２  箱体設置部
４２ａ  箱センサ（検知手段）
４３  デジタルカメラ
４４  フィルムカメラ
５０  送信装置（書類データ送信手段）
８０  制御装置
８１  ＣＰＵ（開始制御手段、タイムスタンプ発行依頼手段）
８３  記憶部
８３Ａ  室内画像記憶部
８３Ｂ  作業画像記憶部
８３１  室内撮影開始制御プログラム
８３２  作業撮影開始制御プログラム（開始制御手段）
８３３  作業撮影停止制御プログラム
８３４  室内撮影停止制御プログラム
８３５  タイムスタンプ発行依頼プログラム（タイムスタンプ発行依頼手段）
８３６  データ送信プログラム
９０  解除手段（検知手段）
９１  ＩＣタグ読取り装置
９２  ＩＣタグ解除装置
８  施錠機構
Ｔ  外部認証機関
Ｂ  箱体
【図１】
2012012143.tif 000003
【図２】
2012012143.tif 000004
【図３】
2012012143.tif 000005
【図４】
2012012143.tif 000006
【図５】
2012012143.tif 000007
【図６】
2012012143.tif 000008
【図７】
2012012143.tif 000009
【図８】
2012012143.tif 000010